(57)【特許請求の範囲】
【請求項１】
ゴルフ場におけるコース上に突き刺すことができる棒体と、この棒体がコース上に突き刺された際にコース上に露出する棒体の上部に，該上部に一側端を沿わせて固定することで該棒体の上部に設けられたホログラムシートと、このホログラムシートを，前記棒体の上部を巻き込むようにして前記一側端を他側端に接合させることで，前記棒体長手方向の円筒状に形成する止め部とを備えていることを特徴とするゴルフフラッグ。
【発明の詳細な説明】
【０００１】
【発明の属する技術分野】
本発明は、ゴルフフラッグに関するものである。より詳しくは、主としてゴルフコンペの際に、ドラコン賞（ドライバーショットで一番遠くまでボールを飛ばした人）や、ニヤピン賞（ショートホールでグリーン上のカップに一番近くボールを飛ばした人）の位置（上記ボールの位置）を示すためにコース上に突き刺さして使用するゴルフフラッグに関するものである。
【０００２】
【従来の技術】
従来、ゴルフコンペの際に、ドラコン賞や、ニヤピン賞の位置を示すためにコース上に突き刺さして使用するゴルフフラッグとして、図６に示すように、ゴルフ場におけるコース上に突き刺すことができる棒体１と、この棒体１の上部に設けられたシート２とからなるゴルフフラッグが知られている。
【０００３】
【発明が解決しようとする課題】
上記従来のゴルフフラッグは、単に、ゴルフ場におけるコース上に突き刺すことができる棒体１と、この棒体の上部に設けられたシート２とからなっているに過ぎなかったので、風が図６（ａ）に示すように、横方から吹いている場合には、比較的見やすいが、風が競技者の背部から旗方向へ向かって吹いているような場合には、図６（ｂ）に示すように、シート２が棒体１の背部方向へなびいてしまい、競技者から非常に見えにくくなってしまうという問題があった。
【０００４】
この発明の目的は、以上のような問題を解決し、風向きにかかわらず競技者から見えやすくすることができるゴルフフラッグを提供することにある。
【０００５】
【課題を解決するための手段】
上記目的を達成するために請求項１記載のゴルフフラッグは、ゴルフ場におけるコース上に突き刺すことができる棒体と、この棒体がコース上に突き刺された際にコース上に露出する棒体の上部に，該上部に一側端を沿わせて固定することで該棒体の上部に設けられたホログラムシートと、このホログラムシートを，前記棒体の上部を巻き込むようにして前記一側端を他側端に接合させることで，前記棒体長手方向の円筒状に形成する止め部とを備えていることを特徴とする。
【０００６】
【作用効果】
請求項１記載のゴルフフラッグは、ゴルフ場におけるコース上に突き刺すことができる棒体と、この棒体の上部に設けられたホログラムシートとを備えているので、このゴルフフラッグによれば、風が競技者の背部から旗方向へ向かって吹いており、したがってシートが棒体の背部方向へとなびいてしまっているような場合でも、ホログラムシートが虹色に光り輝くことによって、競技者から見え易くなる。
しかも、風が競技者の背部から旗方向へ向かって吹いているような場合には、止め部によって、ホログラムシートを円筒状に形成することができる。
円筒状に形成されたホログラムシートは、風が競技者の背部から旗方向へ向かって吹いたとしても、棒体の背部方向へなびいてしまうということがなく、競技者に対して上記円筒の幅を確実に有した状態で虹色に光り輝くこととなるので、競技者から見え易くなる。
すなわち、このゴルフフラッグによれば、風向きにかかわらず競技者からより確実に見えやすくすることができる。
【０００７】
【発明の実施の形態】
以下、本発明の実施の形態について図面を参照して説明する。
＜第１の実施の形態＞
図１は本発明に係るゴルフフラッグの第１の実施の形態を示す図で、（ａ）は正面図、（ｂ）は図（ａ）におけるｂ−ｂ断面図、（ｃ）はシートを円筒状にした状態を示す正面図、図（ｄ）は止め具の斜視図である。図２はシートが筒状になった状態を示す斜視図である。
【０００８】
このグラフフラッグは、ゴルフ場におけるコース上に突き刺すことができる棒体１０と、この棒体１０の上部に設けられたシート２０と、このシート２０を円筒状に形成する止め部とを備えている。
【０００９】
棒体１０は、例えば合成樹脂製であり、その下端１１は、コース上に突き刺しやすいように先鋭に形成されている。
棒体１０の上部には、板状部１２が一体的に形成されており、この板状部の上下に穴１３，１３が形成されている。
また、棒体１０の上部には、リング部１４が一体的に形成されている。
【００１０】
シート２０は、ホログラムシート（見る角度によって種々虹色に光り輝いて見えるシートであり、例えばクレジットカード等に貼着されているシートである）で構成されている。
シート２０の一側端（図では左側端）の上下には穴２１，２１が設けられており、これらの穴２１，２１と上記棒体１０の穴１３，１３とを合わせて、図（ｄ）に示すような止め具３０を図（ｂ）に示すように差し込むことによって、シート２０が棒体１０に取り付けられている。
また、シート２０の他側端（図では右側端）にも穴２２が設けられており、シート２０を図（ｂ）に矢印ａで示すように棒体１０を巻き込むようにして穴２２を上記棒体１０のリング部１４の穴１５に合わせ、これらの穴２２，１５に止め具３０を差し込むことによって、図（ｃ）および図２に示すように、シート２０を円筒状にすることができるようになっている。
このことから明らかなように、この実施の形態における止め部は、棒体１０に設けられた穴１５と、シート２０に設けられた穴２２と、止め具３０とで構成されている。
【００１１】
以上のようなゴルフフラッグによれば次のような作用効果が得られる。
（ａ）ゴルフ場におけるコース上に突き刺すことができる棒体１０と、この棒体１０の上部に設けられたシート２０と、このシート２０を円筒状に形成する止め部（１５，２２，３０）とを備えているので、風が競技者の背部から旗方向へ向かって吹いているような場合には、図２および図３に示すように、止め部によって、シート２０を円筒状に形成することができる。
円筒状に形成されたシート２０は、風が競技者の背部から旗方向へ向かって吹いたとしても、棒体１０の背部方向へなびいてしまうということがなく、競技者に対して円筒の幅Ｗ（図１（ｃ）参照）を確実に有することとなるので、競技者から見え易くなる。
すなわち、このゴルフフラッグによれば、風向きにかかわらず競技者から見えやすくすることができる。
なお、風が横方向から吹いているような場合には、シート２０を必ずしも円筒状とする必要はない。
【００１２】
（ｂ）シート２０はホログラムシートで構成されているので、シート２０を必ずしも円筒状にしなくても、このゴルフフラッグによれば、風が競技者の背部から旗方向へ向かって吹いており、したがってシート２０が棒体１０の背部方向へとなびいてしまっているような場合でも、ホログラムシート２０が虹色に光り輝くことによって、競技者から見え易くなる。
したがって、このゴルフフラッグによれば、シート２０を必ずしも円筒状にしなくても、風向きにかかわらず競技者から見えやすくすることができる。
【００１３】
（ｃ）さらに、風が競技者の背部から旗方向へ向かって吹いているような場合に、止め部によって、ホログラムシート２０を円筒状に形成することにより、風が競技者の背部から旗方向へ向かって吹いたとしても、ホログラムシート２０が棒体１０の背部方向へなびいてしまうということがなく、競技者に対して上記円筒の幅を確実に有した状態で虹色に光り輝くこととなるので、風向きにかかわらず競技者からより確実に見えやすくすることができる。
【００１４】
＜第２の実施の形態＞
図４は本発明に係るゴルフフラッグの第２の実施の形態を示す図で、（ａ）は正面図、（ｂ）はシートを円筒状にした状態を示す正面図である。図４において、上記第１の実施の形態と同一部分ないし相当する部分には同一の符号を付してある。
この実施の形態が上記第１の実施の形態と異なる点は、シート２０を円筒状に形成する止め部を、シート２０の一端側に形成した舌片２３と、他端側に形成した切り欠き２４とで構成した点にあり、その他の点に変わりはない。
この実施の形態では、上記第１の実施の形態同様、シート２０を、棒体１０を巻き込むようにして、図４（ｂ）に示すように、舌片２３を、切り欠き２４に係合させることによって、シート２０を円筒状にすることができる。
したがって、この実施の形態によっても、上記第１の実施の形態と同様な作用効果が得られる。
【００１５】
＜第３の実施の形態＞
図５は本発明に係るゴルフフラッグの第３の実施の形態を示す図で、（ａ）は正面図、（ｂ）はシートを円筒状にした状態を示す正面図である。図５において、上記第１の実施の形態と同一部分ないし相当する部分には同一の符号を付してある。
この実施の形態が上記第１の実施の形態と異なる点は、シート２０を円筒状に形成する止め部を、シート２０の一端側に設けた粘着テープ２５で構成した点にあり、その他の点に変わりはない。
この実施の形態では、上記第１の実施の形態同様、シート２０を、棒体１０を巻き込むようにして、図５（ｂ）に示すように、一端側を粘着テープ２５で他端側２６に接合させることによって、シート２０を円筒状にすることができる。
したがって、この実施の形態によっても、上記第１の実施の形態と同様な作用効果が得られる。
【００１６】
以上、本発明の実施の形態について説明したが、本発明は上記の実施の形態に限定されるものではなく、本発明の要旨の範囲内において適宜変形実施可能である。
【００１７】
【図面の簡単な説明】
【図１】本発明に係るゴルフフラッグの第１の実施の形態を示す図で、（ａ）は正面図、（ｂ）は図（ａ）におけるｂ−ｂ断面図、（ｃ）はシートを円筒状にした状態を示す正面図、（ｄ）は止め具の斜視図。
【図２】シートが筒状になった状態を示す斜視図。
【図３】使用状態説明図。
【図４】本発明に係るゴルフフラッグの第２の実施の形態を示す図で、（ａ）は正面図、（ｂ）はシートを円筒状にした状態を示す正面図。
【図５】本発明に係るゴルフフラッグの第３の実施の形態を示す図で、（ａ）は正面図、（ｂ）はシートを円筒状にした状態を示す正面図。
【図６】（ａ）（ｂ）は従来技術の説明図。
【符号の説明】
１０    棒体
２０    ホログラムシート（シート）
１５，２２，３０    止め部
【図１】
0004027114.tif 000002
【図２】
0004027114.tif 000003
【図３】
0004027114.tif 000004
【図４】
0004027114.tif 000005
【図５】
0004027114.tif 000006
【図６】
0004027114.tif 000007